(57)【要約】      （修正有）【課題】剛性面および強度面に優れるとともにワイヤハーネスの構造物からの解体作業性を良好にし、分別回収できる環境性能に優れるワイヤハーネスプロテクタの提供。【解決手段】ワイヤハーネスプロテクタ１０は、弾性変形可能な材料で形成され、構造物と反対側においてワイヤハーネスの軸方向に沿って開口された開口部１３を有する断面Ｃ字状のアウタープロテクタ１１と、アウタープロテクタに内嵌され、開口部を覆って配置されアウタープロテクタから一端が張り出す張出部２１を有し可撓性を有する長手状の板からなる幹部１９と、アウタープロテクタよりも高剛性を有する肋骨形状の複数の枝部２０とを有する断面Ｃ字状のインナープロテクタ１２とを備える。ワイヤハーネス収容部に収容されているワイヤハーネスがインナープロテクタの張出部とともに引き上げられることで、枝部とワイヤハーネスとがアウタープロテクタを弾性変形させて開口部から抜け出る。【選択図】図５
2009232566.tif 000002
【特許請求の範囲】
【請求項１】
構造物に取り付け可能なワイヤハーネスプロテクタであって、
ワイヤハーネスをその延長方向に沿って収容するワイヤハーネス収容部を中空部分に備えた断面視略Ｃ字状のインナープロテクタと、
弾性変形可能な材料で形成され、前記ワイヤハーネスを収容した前記インナープロテクタを前記延長方向に沿って収容するインナープロテクタ収容部を中空部分に備えた断面視略Ｃ字状のアウタープロテクタと、
を備え、
前記インナープロテクタが、前記ワイヤハーネスの延長方向に沿って開口する開口部と、前記アウタープロテクタに収容された際に当該アウタープロテクタから前記延長方向の外部に延長する延長部と、を有し、
前記アウタープロテクタが、その外面に前記構造物に取り付けるための取付部と、前記延長方向に沿って開口する開口部と、を有し、
前記ワイヤハーネスを収容した前記インナープロテクタがその前記開口部を前記アウタープロテクタに向けて前記インナープロテクタ収容部に収容され、当該アウタープロテクタがその取付部により前記構造物に取り付けられた状態で、前記ワイヤハーネスが前記インナープロテクタの前記延長部とともに前記アウタープロテクタの前記開口部側に引き上げられることで、前記ワイヤハーネスを収容した前記インナープロテクタが前記アウタープロテクタを弾性変形させてその開口部を押し広げ、そして当該開口部から抜け出ることを特徴とするワイヤハーネスプロテクタ。
【請求項２】
前記インナープロテクタは、前記アウタープロテクタよりも高剛性を有する材料で形成されており、当該インナープロテクタが、前記アウタープロテクタに収容された際に前記アウタープロテクタの開口部に沿って当該開口部から露出される可撓性を有する帯状の幹部と、該幹部から前記延長方向と交差する方向に延長するように該幹部に形成され、且つ前記アウタープロテクタの内側に係合する肋骨形状の複数の枝部と、を有し、前記幹部の端部に前記延長部が形成されていることを特徴とする請求項１記載のワイヤハーネスプロテクタ。
【請求項３】
前記インナープロテクタの前記延長部が、前記ワイヤハーネスにテープ巻きで結束されていることを特徴とする請求項１または２記載のワイヤハーネスプロテクタ。
【発明の詳細な説明】
【技術分野】
【０００１】
本発明は、ワイヤハーネスを収容して構造物にワイヤハーネスを配索するワイヤハーネスプロテクタに関し、特に、環境対応策として、構造物上のワイヤハーネスの分別回収のための解体作業を容易にするための改良に関する。
【背景技術】
【０００２】
近年、廃棄物中の資源のリサイクル化等により環境への負荷を軽減する環境対応策の一つとして、使用済み製品の廃棄時に各種の部品の分別回収のための解体作業を容易にする工夫等が要求されている。
【０００３】
このような分別回収を容易にするワイヤハーネスプロテクタの一例として、図１０、図１１に示すように、ウェルドライン１０１を破断させながらワイヤハーネスＷを引き出すようにしたワイヤハーネスプロテクタ１００がある（例えば、特許文献１参照）。
【０００４】
上記特許文献１に開示されたワイヤハーネスプロテクタ１００では、ワイヤハーネスＷを収容する本体１０２の一端から他端までの構造物取付側にウェルドライン１０１が設けられており、本体１０２に装着されたクリップ１０３が車両のボディパネル等の構造物Ｂに嵌め込まれることで、ワイヤハーネスＷが構造物Ｂ上に配索される。
【０００５】
分別回収のための解体時に、ワイヤハーネスＷを構造物Ｂから剥すに際し、ワイヤハーネスＷに専用の治具を引っ掛けてワイヤハーネスＷを図９中の左方向に向けて引っ張ることで、ワイヤハーネスＷとともにワイヤハーネスプロテクタ１００が構造物Ｂから分離される。
【０００６】
そして、本体１０２からクリップ１０３を抜き出して、ワイヤハーネスプロテクタ１００をひっくり返しにしてウェルドライン１０１を上面に向けてから、ワイヤハーネスプロテクタ１００を一方の手で押さえ、他方の手でウェルドライン１０１を押すようにワイヤハーネスＷを引っ張り上げる。
【０００７】
すると、ウェルドライン１０１の一端に荷重がかかり、ワイヤハーネスＷの引き上げに伴ってウェルドライン１０１が一端から他端に向けて連続的に破断されていくことで、ワイヤハーネスＷがワイヤハーネスプロテクタ１００から分離される。
【０００８】
ワイヤハーネスＷがワイヤハーネスプロテクタ１００から分離されることで、銅線等を含むワイヤハーネスＷと、樹脂材料からなるワイヤハーネスプロテクタ１００と、が分別される。
【０００９】
【特許文献１】特開２００７−２２１８７０号公報
【発明の開示】
【発明が解決しようとする課題】
【００１０】
ところが、上記特許文献１に開示されたワイヤハーネスプロテクタ１００は、以下の五つの課題を有する。
【００１１】
課題の一つ目は、ワイヤハーネスＷを収容している本体１０２が、例えば、踏みつけられた際に、本体１０２を通じてワイヤハーネスＷが損傷を受けるおそれがあることである。
【００１２】
課題の二つ目は、分別のための解体時に、本体１０２に挿通されているクリップ１０３を本体１０２から分離させるに際し、専用の治具でもってクリップ１０３を本体１０２から抜き出すか、或いは、カッター等でクリップ１０３を切断する等しなければならないことである。その場合、ワイヤハーネスＷが長尺であると、クリップ１０３を本体１０２から抜き出す作業が面倒であり、カッター等で切断する作業とともに、解体作業を簡単に行えないおそれがある。
【００１３】
課題の三つ目は、同じく分別のための解体時に、構造物Ｂ側に配置されているウェルドライン１０１がワイヤハーネスＷの引き上げ方向に向くように、ワイヤハーネスプロテクタ１００をひっくり返さなければならないので、その作業をし難いことである。
【００１４】
課題の四つ目は、同じく分別のための解体時に、ウェルドライン１０１を目印にしてワイヤハーネスＷを引き上げるために、作業者がウェルドライン１０１を探さなければならず、そのため、作業者に熟練を要することになって、経験の浅い作業者では、作業が容易でないことである。
【００１５】
課題の五つ目は、ワイヤハーネスＷの位置決めをするために、ワイヤハーネスプロテクタ１００の端部をワイヤハーネスＷにテープ巻きしている場合、分別のための解体時に、カッター等で、そのテープ巻きを破断しなければならず、そのため、作業性が良好とは言えないことである。
【００１６】
本発明の目的は、上記課題を解消することに係り、剛性面および強度面に優れるとともにワイヤハーネスを構造物から取り外す作業を簡単にすることで分別回収のための解体作業性を良好にし、且つ効率化することができる環境性能に優れるワイヤハーネスプロテクタを提供することにある。
【課題を解決するための手段】
【００１７】
本発明の上記目的は、下記構成により達成される。
（１）  構造物に取り付け可能なワイヤハーネスプロテクタであって、
ワイヤハーネスをその延長方向に沿って収容するワイヤハーネス収容部を中空部分に備えた断面視略Ｃ字状のインナープロテクタと、
弾性変形可能な材料で形成され、前記ワイヤハーネスを収容した前記インナープロテクタを前記延長方向に沿って収容するインナープロテクタ収容部を中空部分に備えた断面視略Ｃ字状のアウタープロテクタと、
を備え、
前記インナープロテクタが、前記ワイヤハーネスの延長方向に沿って開口する開口部と、前記アウタープロテクタに収容された際に当該アウタープロテクタから前記延長方向の外部に延長する延長部と、を有し、
前記アウタープロテクタが、その外面に前記構造物に取り付けるための取付部と、前記延長方向に沿って開口する開口部と、を有し、
前記ワイヤハーネスを収容した前記インナープロテクタがその前記開口部を前記アウタープロテクタに向けて前記インナープロテクタ収容部に収容され、当該アウタープロテクタがその取付部により前記構造物に取り付けられた状態で、前記ワイヤハーネスが前記インナープロテクタの前記延長部とともに前記アウタープロテクタの前記開口部側に引き上げられることで、前記ワイヤハーネスを収容した前記インナープロテクタが前記アウタープロテクタを弾性変形させてその開口部を押し広げ、そして当該開口部から抜け出ることを特徴とするワイヤハーネスプロテクタ。
【００１８】
（２）  前記インナープロテクタは、前記アウタープロテクタよりも高剛性を有する材料で形成されており、当該インナープロテクタが、前記アウタープロテクタに収容された際に前記アウタープロテクタの開口部に沿って当該開口部から露出される可撓性を有する帯状の幹部と、該幹部から前記延長方向と交差する方向に延長するように該幹部に形成され、且つ前記アウタープロテクタの内側に係合する肋骨形状の複数の枝部と、を有し、前記幹部の端部に前記延長部が形成されていることを特徴とする前記（１）記載のワイヤハーネスプロテクタ。
【００１９】
（３）  前記インナープロテクタの前記延長部が、前記ワイヤハーネスにテープ巻きで結束されていることを特徴とする前記（１）または（２）記載のワイヤハーネスプロテクタ。
【００２０】
前記（１）の構成によれば、インナープロテクタおよびアウタープロテクタが断面視略Ｃ字形状であり曲がり難くなっているために、踏みつけ等の外力に耐える剛性および強度を得ることができる。また、ワイヤハーネスをインナープロテクタとともに引き上げることで、インナープロテクタがアウタープロテクタとの係合を解除されてアウタープロテクタの開口部を押し広げ、ワイヤハーネスとインナープロテクタとがアウタープロテクタから抜け出る。これにより、分別のための解体時に、ワイヤハーネスを引き上げるだけで、ワイヤハーネスが構造物から簡単に分離されて、作業性を良好にして効率化を図ることができる。
【００２１】
上記（２）の構成によれば、インナープロテクタがアウタープロテクタよりも高剛性を有する材料で形成されているのでアウタープロテクタを変形させることが容易であり、またインナープロテクタが肋骨形状の複数の枝部を有し曲がり難くなっているために、踏みつけ等の外力に耐える十分な剛性および強度を得ることができる。
【００２２】
上記（３）の構成によれば、インナープロテクタの幹部がワイヤハーネスにテープ巻きで結束されることで、ワイヤハーネスとインナープロテクタとが一体的に結合されるために、一体化されたワイヤハーネスとインナープロテクタとをいっしょに引き上げることができる。そのため、ワイヤハーネスの構造物からの分離をさらに簡単に行うことができる。加えて、テープ巻きを破断させる作業を行う必要もなくなる。
【発明の効果】
【００２３】
本発明に係るワイヤハーネスプロテクタでは、インナープロテクタおよびアウタープロテクタが断面視略Ｃ字形状であり曲がり難くなっていることで、踏みつけ等の外力に耐える剛性および強度を得ることができる。
【００２４】
そして、構造物上に配索されているワイヤハーネスを構造物から取り外す際に、ワイヤハーネスをインナープロテクタとともに引き上げるだけで、ワイヤハーネスを構造物から取り外すことができる。
【００２５】
即ち、ワイヤハーネスを構造物から取り外す際に、ワイヤハーネスを引き出すための専用の治具や、クリップおよびテープ巻きを切断するためのカッター等を必要とせずに、極めて簡単にワイヤハーネスを構造物から取り外すことができる。
【００２６】
従って、剛性面および強度面を強化することができるとともに、ワイヤハーネスが配索されている構造物を廃棄する際における、ワイヤハーネスの分別回収のための解体作業を容易に且つ効率化することができ、廃棄物中の資源のリサイクル化等の環境対応に適したワイヤハーネスの分離・分別回収を容易にすることができる。
【発明を実施するための最良の形態】
【００２７】
以下、本発明に係るワイヤハーネスプロテクタの好適な実施形態について、図面を参照して詳細に説明する。
【００２８】
図１〜図９は本発明に係るワイヤハーネスプロテクタの一実施形態を示すもので、図１は本発明に係るワイヤハーネスプロテクタの一実施形態に適用されるアウタープロテクタの前方斜め上方から視た外観斜視図、図２は図１に示したアウタープロテクタのI−I線断面図、図３は本発明に係るワイヤハーネスプロテクタの一実施形態に適用されるインナープロテクタの前方斜め上方から視た外観斜視図、図４は図３に示すインナープロテクタのII−II線断面図、図５は本発明に係るワイヤハーネスプロテクタの一実施形態の前方斜め上方から視た外観斜視図である。
【００２９】
また、図６は図５に示したワイヤハーネスプロテクタのIII−III線断面図、図７はワイヤハーネスプロテクタからワイヤハーネスを取り外す手順の第１段階を説明する側面図、図８は図７に示したワイヤハーネスプロテクタからワイヤハーネスを取り外す手順の第２段階を説明する側面図、図９は図７に示したワイヤハーネスプロテクタからワイヤハーネスを取り外す手順の第３段階を説明する側面図である。
【００３０】
この一実施形態のワイヤハーネスプロテクタ１０は、ワイヤハーネスＷを収容するアウタープロテクタ１１と、このアウタープロテクタ１１の内側に装着されるインナープロテクタ１２と、を備えて、ワイヤハーネスＷを車両のボディパネル等の構造物Ｂに固定するものである。
【００３１】
図１に示すように、アウタープロテクタ１１は、柔軟性に富む樹脂材等の高分子材料を用いて所定の厚さ寸法を有し、図１中の上方である構造物Ｂと反対側に開口部１３を有する断面視略Ｃ字の筒状に形成されている。
【００３２】
アウタープロテクタ１１は、底板１４と、該底板１４の両側部に連続して形成された湾曲形状をなす一対のアウタープロテクタ側湾曲板１５，１６と、を有する。
【００３３】
開口部１３は、これらアウタープロテクタ側湾曲板１５，１６の上部端縁に予め定められた幅寸法を有して配置されており、アウタープロテクタ側湾曲板１５，１６の軸方向にそれぞれの一端部からそれぞれの他端部まで連続している。そして、アウタープロテクタ１１は、内側にワイヤハーネス収容部１７を有する。
【００３４】
図２及び図７に示すように、アウタープロテクタ１１は、底板１４の中央部に、構造物Ｂへの取付け用の２個のクリップ１８が筒方向に離れて一体に形成されている。
【００３５】
図３に示すように、インナープロテクタ１２は、可撓性を有する樹脂材等の高分子材料を用いて断面視略Ｃ字の筒状に形成されており、幹部１９と、複数の６個の枝部２０と、を一体に有する。
【００３６】
幹部１９は、アウタープロテクタ１１よりも大きい長さ寸法を有して板状に形成されており、一端部に、アウタープロテクタ１１から張り出す張出部２１を有する。張出部２１は、テープ巻き付け部として機能する。
【００３７】
枝部２０は、アウタープロテクタ１１の幹部１９の軸方向にそれぞれ間隔をおいて配置されており、湾曲形状をなす一対のインナープロテクタ側湾曲板２２，２３をそれぞれ有する。
【００３８】
そして、インナープロテクタ側湾曲板２２，２３には、図３中の下方である構造物Ｂ側に、開口２４がそれぞれ形成されている。
【００３９】
即ち、枝部２０は、構造物Ｂ側に開口２４をそれぞれ有する断面Ｃ字形状の、所謂、肋骨形状とされ、幹部１９は、枝部２０をそれぞれ繋ぐ、連結部として機能する。
【００４０】
図４に示すように、インナープロテクタ１２は、幹部１９の厚さ寸法Ｔ１が、枝部２０のインナープロテクタ側湾曲板２２，２３の厚さ寸法Ｔ２よりも十分に小さくなっている。これにより、幹部１９は、軸方向に曲がり易くなっており、これに反して、枝部２０は、曲がり難くなっていて、踏みつけなどの力に十分耐え得る強度を有する。
【００４１】
図５に示すように、ワイヤハーネスプロテクタ１０は、インナープロテクタ１２がアウタープロテクタ１１の端部から挿入されることで、インナープロテクタ１２がアウタープロテクタ１１内に装着される。
【００４２】
このとき、インナープロテクタ１２の枝部２０のインナープロテクタ側湾曲板２２，２３が、アウタープロテクタ１１のアウタープロテクタ側湾曲板１５，１６の内側にそれぞれ係合されることで、インナープロテクタ１２がアウタープロテクタ１１内に一体的に装着される。
【００４３】
また、インナープロテクタ１２の幹部１９は、アウタープロテクタ１１の開口部１３を覆って配置される。そして、インナープロテクタ１２の張出部２１は、アウタープロテクタ１１の一端部から張り出して配置される。
【００４４】
図６に示すように、アウタープロテクタ１１のアウタープロテクタ側湾曲板１５，１６が湾曲形状であり、インナープロテクタ１２のインナープロテクタ側湾曲板２２，２３が、アウタープロテクタ側湾曲板１５，１６よりも小さい湾曲率を有する湾曲形状であるために、インナープロテクタ１２は、アウタープロテクタ１１内に位置決めされて嵌め込まれることとなる。
【００４５】
図７に示すように、ワイヤハーネスプロテクタ１０は、使用にあたり、アウタープロテクタ１１のワイヤハーネス収容部１７にワイヤハーネスＷが収められ、アウタープロテクタ１１内にインナープロテクタ１２が装着される。
【００４６】
このとき、アウタープロテクタ１１は、インナープロテクタ１２を保持している。また、インナープロテクタ１２の幹部１９が、アウタープロテクタ１１の開口部１３を覆って配置されるために、ワイヤハーネス収容部１７は異物等が侵入しないように保護されている。そして、インナープロテクタ１２の枝部２０が曲がり難くなっているために、アウタープロテクタ１１を介して、踏みつけられる等されたとしても、インナープロテクタ１２の枝部２０によって、ワイヤハーネスＷが損傷を生じないように保護される。
【００４７】
そして、アウタープロテクタ１１のクリップ１８が、構造物Ｂに形成されているクリップ孔Ｂ１に係止される。このとき、ワイヤハーネスＷの位置決め、即ち、ワイヤハーネス収容部１７内において、ワイヤハーネスＷを軸方向に前後させたり、横方向に移動させたりして、ワイヤハーネスＷの弛みや余長を無くした後に、インナープロテクタ１２の張出部２１にテープ巻き２５が施される。
【００４８】
これにより、ワイヤハーネスＷとワイヤハーネスプロテクタ１０との組体が構造物Ｂに取り付けられて、ワイヤハーネスＷが構造物Ｂ上の所定位置に配索される。
【００４９】
次に、図７、図８、図９を参照して、ワイヤハーネスプロテクタ１０からワイヤハーネスＷを取り外す手順について説明する。
【００５０】
ワイヤハーネスＷが配索されている構造物Ｂを廃棄する必要が生じた際に、図７に示した第１段階において、まず、ワイヤハーネスＷが構造物Ｂから離れる方向である図７中の矢印方向に引き上げられる。このとき、ワイヤハーネスＷは、テープ巻き２５によって、インナープロテクタ１２の張出部２１において結束されているために、ワイヤハーネスＷの引き上げ力がテープ巻き２５を通じてインナープロテクタ１２の幹部１９に与えられる。
【００５１】
図８に示すように、第２段階において、ワイヤハーネスＷがインナープロテクタ１２とともに構造物Ｂから離れる方向に引き上げられることで、インナープロテクタ１２の幹部１９が、枝部２０側を凸として弓なり形状に弾性変形をし始め、インナープロテクタ１２の枝部２０のインナープロテクタ側湾曲板２２，２３が、アウタープロテクタ１１のアウタープロテクタ側湾曲板１５，１６を、そのワイヤハーネス収容部１７から構造物Ｂと反対側に向けて押圧することとなる。
【００５２】
これにより、アウタープロテクタ１１のアウタープロテクタ側湾曲板１５，１６が、開口部１３を拡径するように弾性変形されながら開かれていく。このとき、インナープロテクタ１２の枝部２０が高剛性を有し肋骨形状で曲がり難くなっているために、容易に変形することなく、アウタープロテクタ１１のアウタープロテクタ側湾曲板１５，１６を押圧して開口部１３が拡径されていく。
【００５３】
図９に示すように、第３段階において、ワイヤハーネスＷがさらに引き上げられることで、インナープロテクタ１２は、幹部１９がしなり続けながら、ワイヤハーネスＷとともに、アウタープロテクタ１１において拡径されている開口部１３から引き出されていく。
【００５４】
これにより、ワイヤハーネスＷとインナープロテクタ１２とがアウタープロテクタ１１から分離されて分別がなされる。
【００５５】
このとき、解体作業者は、ワイヤハーネスを引き出すための専用の治具や、クリップおよびテープ巻きを切断するためのカッター等を用いずに、ワイヤハーネスＷを引き上げるだけの単純作業を行うこととなる。
【００５６】
以上説明したように、上記ワイヤハーネスプロテクタ１０によれば、インナープロテクタ１２が高剛性を有し肋骨形状であり曲がり難くなっていることで、踏みつけ等の外力に耐える剛性および強度を得ることができる。
【００５７】
そして、構造物Ｂ上に配索されているワイヤハーネスＷを構造物から取り外す際に、ワイヤハーネスＷをインナープロテクタ１２とともに引き上げるだけで、ワイヤハーネスＷを構造物から取り外すことができる。
【００５８】
即ち、ワイヤハーネスＷを構造物Ｂから取り外す際に、ワイヤハーネスＷを引き出すための専用の治具や、クリップおよびテープ巻きを切断するためのカッター等を必要とせずに、極めて簡単にワイヤハーネスＷを構造物Ｂから取り外すことができる。
【００５９】
従って、剛性面および強度面を強化することができるとともに、ワイヤハーネスＷが配索されている構造物Ｂを廃棄する際における、ワイヤハーネスＷの分別回収のための解体作業を容易に且つ効率化することができ、廃棄物中の資源のリサイクル化等の環境対応に適したワイヤハーネスＷの分離・分別回収を容易にすることができる。
【００６０】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６１】
例えば、テープ巻きによってワイヤハーネスをインナープロテクタに結束するのに代えて、一般に市販されている結束ファスナー等の汎用手段を用いたり、或いは、インナープロテクタの張出部にワイヤハーネスを保持するためのＣ字形状の把持部を一体に形成したりしても良い。また、インナープロテクタをワイヤハーネスに結束せずに、ワイヤハーネスをインナープロテクタの張出部に向けて引き上げるようにしても良い。
【００６２】
また、インナープロテクタを金属製としても良い。そうすれば、剛性面および強度面を、より一層強化することができるのに加えて、ワイヤハーネスといっしょに金属製のインナープロテクタを、樹脂製のアウタープロテクタから分離することで、銅線等を含むワイヤハーネスおよび金属製のインナープロテクタと、樹脂材料からなるアウタープロテクタと、を分別できるために、分別作業の効率をさらに向上させることができる。
【００６３】
また、インナープロテクタは肋骨形状でなくてもよく、断面視略Ｃ字形状の筒体であってもよい。
【図面の簡単な説明】
【００６４】
【図１】本発明に係るワイヤハーネスプロテクタの一実施形態に適用されるアウタープロテクタの前方斜め上方から視た外観斜視図である。
【図２】図１に示したアウタープロテクタのI−I線断面図である。
【図３】本発明に係るワイヤハーネスプロテクタの一実施形態に適用されるインナープロテクタの前方斜め上方から視た外観斜視図である。
【図４】図３に示すインナープロテクタのII−II線断面図である。
【図５】本発明に係るワイヤハーネスプロテクタの一実施形態の前方斜め上方から視た外観斜視図である。
【図６】図５に示したワイヤハーネスプロテクタのIII−III線断面図である。
【図７】ワイヤハーネスプロテクタからワイヤハーネスを取り外す手順の第１段階を説明する側面図である。
【図８】図７に示したワイヤハーネスプロテクタからワイヤハーネスを取り外す手順の第２段階を説明する側面図である。
【図９】図７に示したワイヤハーネスプロテクタからワイヤハーネスを取り外す手順の第３段階を説明する側面図である。
【図１０】従来のワイヤハーネスプロテクタの断面図である。
【図１１】図１０に示したワイヤハーネスプロテクタからワイヤハーネスを取り外す際の概略図である。
【符号の説明】
【００６５】
１０  ワイヤハーネスプロテクタ
１１  アウタープロテクタ
１２  インナープロテクタ
１３  開口部
１７  ワイヤハーネス収容部
１８  クリップ
１９  幹部
２０  枝部
２５  テープ巻き
Ｂ  構造物
Ｗ  ワイヤハーネス
【図１】
2009232566.tif 000003
【図２】
2009232566.tif 000004
【図３】
2009232566.tif 000005
【図４】
2009232566.tif 000006
【図５】
2009232566.tif 000007
【図６】
2009232566.tif 000008
【図７】
2009232566.tif 000009
【図８】
2009232566.tif 000010
【図９】
2009232566.tif 000011
【図１０】
2009232566.tif 000012
【図１１】
2009232566.tif 000013